(57)【要約】【課題】ランプ交換作業時におけるランプの破損やランプ保持部の落下を確実に防止してランプ交換作業を容易に行えるようにする。【解決手段】一端側に照射用開口３が形成され他端側に取付用開口４が形成された器具本体１と、器具本体１の内部に配置されるランプ５を保持して取付用開口４に着脱自在に取付けられたランプ保持部２と、器具本体１に連結されて器具本体１の中心線方向に沿って延出したガイド溝７を有するスライドガイド６と、ランプ保持部２に設けられてガイド溝７にスライド自在に係合されたスライド用突起８ａ、８ｂと、ガイド溝７に連続して形成された保持溝９とを有する。スライド用突起８ａ、８ｂをガイド溝７内でスライドさせてランプ保持部２を所定位置まで移動させ、その位置でランプ保持部２を回動させてスライド用突起８ａ、８ｂを保持溝９に入り込ませると、ランプ保持部２はその回動位置で位置固定に保持される。【選択図】　　　　図４
2004014167.tif 000002
【特許請求の範囲】
【請求項１】
一端側に照射用開口が形成され他端側に取付用開口が形成された器具本体と；
前記器具本体の内部に配置されるランプを保持し前記取付用開口に着脱自在に取付けられたランプ保持部と；
前記器具本体に連結され、前記器具本体の中心線方向に沿って前記取付用開口から離反する方向に延出したガイド溝を有するスライドガイドと；
前記ランプ保持部に設けられ、前記ガイド溝にスライド自在に係合されたスライド用突起と；
前記ガイド溝に連続して形成され、前記スライド用突起を前記ガイド溝内でスライドさせることにより所定位置まで移動させた前記ランプ保持部を所定の角度に回動させることにより前記スライド用突起が入り込むとともにその回動位置で前記ランプ保持部を位置固定に保持する保持溝と；
を具備する照明装置。
【請求項２】
前記スライド用突起が前記保持溝部に入り込むことにより保持される前記ランプ保持部の回動位置は、前記取付用開口への取付時の向きに対して略１８０°回動した位置である請求項１記載の照明装置。
【請求項３】
前記ランプ保持部に取っ手が設けられている請求項１又は２記載の照明装置。
【発明の詳細な説明】
【０００１】
【発明の属する技術分野】本発明は、照明装置に関する。
【０００２】
【従来の技術】従来、屋内プール、水族館、体育館等の高天井部分に取付けられた照明装置においては、ランプ交換などのメンテナンスを天井部分に設けられた作業用足場に登って行うようにしたものが存在する。
【０００３】
そのような照明装置の基本的な構造としては、一端側に下向きに開口した照射用開口が形成され他端側に取付用開口が形成されて天井部分に固定された器具本体と、器具本体の内部に配置されるランプを保持して取付用開口に着脱自在に取付けられたランプ保持部とを有する。
【０００４】
ランプ交換作業時には、作業用足場に登った作業者が器具本体の取付用開口からランプ保持部を取外し、ランプ保持部に保持されているランプを新しいものに付け替え、新しいランプに付け替えたランプ保持部を取付用開口に取付けている。
【０００５】
【発明が解決しようとする課題】器具本体の取付用開口からランプ保持部を取外すとき、又は、新しいランプに付け替えたランプ保持部を取付用開口に取付けるとき、ランプ保持部を器具本体の中心線に沿って精度良く上下方向に移動させないと、ランプが器具本体の取付用開口の縁部に当たって破損する場合がある。
【０００６】
また、取付用開口から取外したランプ保持部を不注意により作業用足場から落下させてしまう場合がある。
【０００７】
このため、ランプ交換作業時にはランプの破損やランプ保持部の落下等が生じないように注意しなければならず、ランプ交換作業が煩雑な作業となっている。
【０００８】
本発明の目的は、ランプ交換作業時におけるランプの破損やランプ保持部の落下を確実に防止してランプ交換作業を容易に行うことができる照明装置を提供することである。
【０００９】
【課題を解決するための手段】請求項１記載の発明の照明装置は、一端側に照射用開口が形成され他端側に取付用開口が形成された器具本体と；前記器具本体の内部に配置されるランプを保持し前記取付用開口に着脱自在に取付けられたランプ保持部と；前記器具本体に連結され、前記器具本体の中心線方向に沿って前記取付用開口から離反する方向に延出したガイド溝を有するスライドガイドと；前記ランプ保持部に設けられ、前記ガイド溝にスライド自在に係合されたスライド用突起と；前記ガイド溝に連続して形成され、前記スライド用突起を前記ガイド溝内でスライドさせることにより所定位置まで移動させた前記ランプ保持部を所定の角度に回動させることにより前記スライド用突起が入り込むとともにその回動位置で前記ランプ保持部を位置固定に保持する保持溝と；を具備する。
【００１０】
ここで、「器具本体」は、内部に配置されるランプの光を効率よく反射させる反射体を内部に備える。または、器具本体の内面を反射体に形成することも許容する。
【００１１】
また、「保持溝」としては、この保持溝内に入り込んだスライド用突起が作業者の意に反してガイド溝内に戻ることを防止できる形状を有するものであればよく、その形状については各実施の形態で例示する形状、及び、他の形状が許容される。
【００１２】
「スライドガイド」の数については、一つでもよいが、平行に一対設けられていることが好ましい。スライドガイドを平行に一対設けることにより、これらのスライドガイドに形成されているガイド溝に沿ったランプ保持部のスライド動作や、これらのスライドガイドに形成されている保持溝にスライド用突起を入り込ませることによるランプ保持部の保持を良好に行える。
【００１３】
したがって、ランプ交換作業時において、ランプ保持部を取付用開口から取外すためにランプ保持部に対して取付用開口から離反する方向に力を加えると、スライド用突起がガイド溝内をスライドするとともにランプ保持部がガイド溝に沿って取付用開口から離反する方向に移動する。このため、ランプ保持部を取付用開口から取外すときには、ランプ保持部の移動軌跡をガイド溝に沿わせて常に安定させることができるとともにランプが取付用開口の縁部に当たることを防止でき、ランプが取付用開口の縁部に当たって破損するという事故の発生を防止できる。
【００１４】
ランプ保持部をガイド溝に沿って所定位置まで移動させた後に、ランプ保持部を所定の角度に回動させるとともにスライド用突起をガイド溝に連続して形成された保持溝に入り込ませることにより、ランプ保持部はその回動位置で位置固定に保持される。このため、取付用開口から取外したランプ保持部が落下するという事故の発生を防止することができ、また、作業者は取付用開口から取外したランプ保持部から手を離してもよく、ランプ保持部へのランプの着脱作業時には両手が自由に使えるので、ランプの着脱作業を容易に行える。
【００１５】
ランプ保持部へ新しいランプを取付けた後は、ランプ保持部を回動させてスライド用突起をガイド溝に入り込ませ、スライド用突起をガイド溝内をスライドさせることによりランプ保持部を取付用開口側へ移動させ、ランプ保持部を取付用開口に取付ける。このため、ランプ保持部を取付用開口側へ移動させる際には、ランプ保持部の移動軌跡をガイド溝に沿わせて常に安定させることができるとともにランプが取付用開口の縁部に当たることを防止でき、ランプが取付用開口の縁部に当たって破損するという事故の発生を防止できる。
【００１６】
請求項２記載の発明は、請求項１記載の照明装置において、前記スライド用突起が前記保持溝部に入り込むことにより保持される前記ランプ保持部の回動位置は、前記取付用開口への取付時の向きに対して略１８０°回動した位置である。
【００１７】
したがって、ランプ保持部に対するランプの着脱作業を、ランプによる照射方向と逆方向である上方位置から行うことができるとともにランプの着脱時におけるランプの脱落を確実に防止でき、ランプの着脱作業をより容易に行うことができる。
【００１８】
請求項３記載の発明は、請求項１又は２記載の照明装置において、前記ランプ保持部に取っ手が設けられている。
【００１９】
したがって、ランプ保持部を取付用開口から離反させる方向や取付用開口側へ移動させる場合、及び、スライド用突起が保持溝に入り込むようにランプ保持部を回動させる場合などにおいて、取っ手を握って行うことによりそれらの操作を容易に行えるようになり、ひいては、ランプの交換作業をより容易に行えるようになる。
【００２０】
【発明の実施の形態】本発明の第１の実施の形態を図１ないし図４に基づいて説明する。
【００２１】
図１は照明装置を示す正面図、図２はその側面図、図３はランプ保持部を器具本体の取付用開口から取外した状態を示す側面図、図４は取付用開口から取外したランプ保持部を所定の角度に回動させて保持した状態を示す側面図である。
【００２２】
この照明装置は、屋内プール、水族館、体育館等の高天井部分に取付けられた照明装置であって、器具本体１とランプ保持部２とを主要な構成として備えている。
【００２３】
器具本体１は、高天井部分に位置固定に取付けられた筒状の部材であり、一端側（下端側）に照射用開口３が形成され、他端側（上端側）に取付用開口４が形成され、内周面はアルミ鏡面仕上げで形成され、反射鏡としての機能を備えている。照射用開口３には前面ガラス（図示せず）が嵌め込まれている。
【００２４】
ランプ保持部２は、器具本体１の取付用開口４に着脱自在に取付けられている。このランプ保持部２には、ランプ保持部２を取付用開口４に取付けたときに器具本体１の内部に配置されるランプ５が着脱自在に取付けられている。取付用開口４に取付られたランプ保持部２はロック機構（図示せず）によりロックされ、ランプ保持部２を取付用開口４から取外す場合にはこのロック機構のロックを解除する構成とされている。
【００２５】
器具本体１には、ランプ保持部２の両側に位置して平行に対向する一対の板状のスライドガイド６が固定されている。これらのスライドガイド６には、器具本体１の中心線方向に沿って取付用開口４から離反する方向に延出するガイド溝７が形成されている。各スライドガイド６に形成されているガイド溝７は同じ形状であって平行に形成されている。
【００２６】
ランプ保持部２の両側には、それぞれガイド溝７にスライド自在に係合されたスライド用突起８ａ、８ｂが形成されている。これらのスライド用突起８ａ、８ｂは、上下方向に所定寸法離間させて配置されている。
【００２７】
ガイド溝７の上端側には、このガイド溝７に連続して形成され、ガイド溝７内を上端側までスライドしたスライド用突起８ａ、８ｂが入り込み可能な保持溝９が形成されている。保持溝９は、ガイド溝７の上端部から略水平向きに屈曲した水平部９ａと、水平部９ａの先端部から略垂直下向きに屈曲した垂直部９ｂとから構成されている。垂直部９ｂの長さ寸法が、スライド用突起８ａ、８ｂ間の長さ寸法と略同じに形成されている。
【００２８】
ランプ保持部２には、このランプ保持部２をガイド溝７に沿って上下動させる場合などに把持して使用する取っ手１０が固定されている。
【００２９】
このような構成において、図１及び図２は器具本体１の取付用開口４にランプ保持部２が取付けられている通常の使用時状態を示している。ランプ保持部２に保持されているランプ５は器具本体１内に配置され、ランプ５から出射された光は直接又は器具本体１の反射面で反射された後に照射用開口３から下向きに照射される。
【００３０】
図３は、ランプ５を交換するためにランプ保持部２を取付用開口４から取外した状態を示している。取付用開口４に取付けられたランプ保持部２をロックするロック機構のロック状態を解除し、取っ手１０を把持した作業者が上方向きの力を加えることにより、スライド用突起８ａ、８ｂがガイド溝７内を上方へスライドするとともにランプ保持部２がガイド溝７に沿って上方へ移動し、ランプ保持部２が取付用開口４から取外される。
【００３１】
これにより、取付用開口４からランプ保持部２を取外す場合において、ランプ保持部２の移動軌跡をガイド溝７に沿わせて常に安定させることができるとともにランプ５が取付用開口４の縁部に当たることを防止でき、ランプ５が取付用開口４の縁部に当たって破損するという事故の発生を防止できる。
【００３２】
スライド用突起８ａがガイド溝７の上端部まで移動した後、スライド用突起８ａ、８ｂが保持溝９に入り込むようにランプ保持部２を回動させ、最終的に、図４に示すように、スライド用突起８ａ、８ｂを保持溝９の垂直部９ｂに入り込ませる。スライド用突起８ａ、８ｂが垂直部９ｂに入り込むことにより、ランプ保持部２は、取付用開口４への取付時の向きに対して略１８０°回動した状態となり、ランプ５が上向きとなる。
【００３３】
ランプ保持部２を図４に示す位置へ回動させたときには、スライド用突起８ａがランプ保持部２の自重により垂直部９ｂの下端部内周面に押付けられ、スライド用突起８ａ、８ｂが作業者の意に反してガイド溝７内に戻ることが防止される。このため、ランプ保持部２を図４に示す位置へ回動させた後、取っ手１０から手を離しても、ランプ保持部２は図４に示す回動位置で位置固定に保持される。このため、ランプ保持部２からのランプ５の取外し、及び、ランプ保持部２への新しいランプ５の取付けを、その作業中におけるランプ５の脱落を確実に防止しつつ容易に行える。
【００３４】
ランプ保持部２に新しいランプ５を取付けた後は、スライド用突起８ａ、８ｂがガイド溝７内に入り込むようにランプ保持部２を回動させ、スライド用突起８ａ、８ｂをガイド溝７内をスライドさせることによりランプ保持部２を取付用開口４側へ移動させ、ランプ保持部２を取付用開口４に取付ける。ランプ保持部２を取付用開口４側へ移動させる際には、スライド用突起８ａ、８ｂがガイド溝７内をスライドすることによりランプ保持部２の移動軌跡をガイド溝７に沿わせて常に安定させることができるとともにランプ５が取付用開口４の縁部に当たることを防止でき、ランプ５が取付用開口４の縁部に当たって破損するという事故の発生を防止できる。
【００３５】
つぎに、本発明の第２の実施の形態を図５ないし図７に基づいて説明する。なお、図１ないし図４において説明した部分と同じ部分は同じ符号で示し、説明も省略する（以下の実施の形態でも同じ）。
【００３６】
本実施の形態の基本的構造は第１の実施の形態と同じであり、本実施の形態と第１の実施の形態との異なる点は、ガイド溝７の上端部に連続して形成された保持溝１１の形状である。
【００３７】
本実施の形態の保持溝１１は、ガイド溝７の上端部から下向きに円弧状に形成されている。このため、ランプ保持部２を回動させた場合、ランプ保持部２を図５、図６、図７のそれぞれの回動位置で保持することが可能となる。
【００３８】
このような構成において、図５は、スライド用突起８ａのみが保持溝１１に入り込んでスライド用突起８ｂはガイド溝７内に位置している。この位置へランプ保持部２を回動させた場合には、スライド用突起８ａがランプ保持部２の自重による回転モーメントの作用により保持溝１１の上側内周面に押付けられ、その押付部分における力の作用によりスライド用突起８ａがガイド溝７内に戻ることが防止される。また、スライド用突起８ｂはランプ保持部２の自重による回転モーメントの作用によりガイド溝７の内周面に押付けられ、スライド用突起８ａが保持溝１１内を滑り落ちることが防止される。これにより、ランプ保持部２は図５に示す回動位置で位置固定に保持され、ランプ５の交換作業を行える。
【００３９】
図６は、スライド用突起８ａ、８ｂが保持溝１１内に位置しており、ランプ保持部２の自重による回転モーメントの作用によりスライド用突起８ａが保持溝１１の下側内周面に押付けられるとともにスライド用突起８ｂが保持溝１１の上側内周面に押付けられ、その押付部分における力の作用によりスライド用突起８ａ、８ｂが保持溝１１内を滑ることが防止される。これにより、ランプ保持部２は図６に示す回動位置で位置固定に保持され、ランプ５の交換作業を行える。
【００４０】
図７は、スライド用突起８ａがランプ保持部２の自重により保持溝１１の下端部内周面に押付けられ、ランプ保持部２は図７に示す回動位置で位置固定に保持され、ランプ５の交換作業を行える。
【００４１】
本実施の形態では、ランプ５を交換する場合におけるランプ保持部２の保持位置を図５、図６又は図７に示す位置に任意に変更できるので、この照明装置が設置されている周囲の状況に応じて、周囲に最もスペースがある方向からランプ交換を行うことができる。
【００４２】
つぎに、本発明の第３の実施の形態を図８及び図９に基づいて説明する。本実施の形態の基本的構造は第１の実施の形態と同じであり、本実施の形態と第１の実施の形態との異なる点は、ガイド溝７の上端部に連続して形成された保持溝１２の形状である。
【００４３】
本実施の形態の保持溝１２は、ガイド溝７の上端部から水平向きに屈曲して形成されており、保持溝１２の先端部に円形状の大径部１２ａが形成され、ガイド溝７と保持溝１２との接続部分にも円形状の大径部１２ｂが形成されている。これらの大径部１２ａ、１２ｂは、ガイド溝７や保持溝１２の溝幅より少し大きな直径を有する円形状に形成されている。また、大径部１２ａ、１２ｂの間隔はスライド用突起８ａ、８ｂの間隔と略同じに形成されている。
【００４４】
このような構成において、ランプ保持部２をガイド溝７に沿って上方へ移動させ、所定位置まで移動させたランプ保持部２を回動させることによりスライド用突起８ａ、８ｂを保持溝１２内に入り込ませ、スライド用突起８ａ、８ｂを大径部１２ａ、１２ｂ内に位置させることにより、ランプ保持部２を取付用開口４への取付時の向きに対して略９０°回動させた位置で位置固定に保持することができる。
【００４５】
ここで、スライド用突起８ａ、８ｂを大径部に１２ａ、１２ｂ内に位置させることによりランプ保持部２を図９に示した回動位置で位置固定に保持する場合において、ランプ保持部２の自重による回転モーメントが右回り方向（矢印ａ方向）に作用する場合には、スライド用突起８ｂが大径部１２ｂの上部側内周面に押付けられるとともにスライド用突起８ａが大径部１２ａの下部側内周面に押付けられることにより、ランプ保持部２は図９に示した回動位置で安定して保持される。また、ランプ保持部２の自重による回転モーメントが左回り方向（矢印ｂ方向）に作用する場合には、スライド用突起８ａが大径部１２ａの上部側内周面に押付けられるとともにスライド用突起８ｂが大径部１２ｂの下部側内周面に押付けられることにより、ランプ保持部２は図９に示した回動位置で安定して保持される。
【００４６】
ランプ保持部２を取付用開口４への取付時の向きに対して略９０°回動させた位置で位置固定してランプ交換をする場合としては、照明装置の上方側のスペースが狭い場合などに有効である。
【００４７】
なお、上述した各実施の形態においては、本発明の照明装置を屋内プール、水族館、体育館等の高天井部分に取付けた場合を例に挙げて説明したが、器具本体の一端側にランプ保持部が配置され、照明装置の投光開口側の反対側からランプ交換を行う形式の照明装置、例えば、投光器やダウンライトなどにおいても本発明を適用できるものである。
【００４８】
【発明の効果】請求項１記載の発明の照明装置によれば、ランプ保持部を器具本体の取付用開口から取外すとき、及び、取外したランプ保持部を取付用開口に取付けるときには、ランプ保持部の移動軌跡をガイド溝に沿わせて常に安定させることができるとともにランプが取付用開口の縁部に当たることを防止でき、ランプが取付用開口の縁部に当たって破損するという事故の発生を防止できる。また、ランプ保持部をガイド溝に沿って所定位置まで移動させた後に、ランプ保持部を所定の角度に回動させるとともにスライド用突起を保持溝に入り込ませることにより、ランプ保持部をその回動位置で位置固定に保持することができるので、取付用開口から取外したランプ保持部が落下するという事故の発生を防止することができ、しかも、作業者は取付用開口から取外したランプ保持部から手を離してもよく、ランプ保持部へのランプの着脱作業を両手を使って容易に行うことができる。
【００４９】
請求項２記載の発明によれば、請求項１記載の照明装置において、前記スライド用突起が前記保持溝部に入り込むことにより保持される前記ランプ保持部の回動位置は、前記取付用開口への取付時の向きに対して略１８０°回動した位置であるので、ランプ保持部に対するランプの着脱作業を、ランプによる照射方向と逆方向である上方位置から行うことができるとともにランプの着脱時におけるランプの脱落を確実に防止でき、ランプの着脱作業をより容易に行うことができる。
【００５０】
請求項３記載の発明によれば、請求項１又は２記載の照明装置において、前記ランプ保持部に取っ手が設けられているので、ランプ保持部を取付用開口から離反させる方向や取付用開口側へ移動させる場合、及び、スライド用突起が保持溝に入り込むようにランプ保持部を回動させる場合などにおいて、取っ手を握って行うことによりそれらの操作を容易に行うことができ、ひいては、ランプの交換作業をより容易に行うことができる。
【図面の簡単な説明】
【図１】本発明の第１の実施の形態の照明装置を示す正面図である。
【図２】その側面図である。
【図３】ランプ保持部を取付用開口から取外した状態を示す側面図である。
【図４】取付用開口から取外したランプ保持部を所定の角度に回動させて保持した状態を示す側面図である。
【図５】本発明の第２の実施の形態の照明装置における取付用開口から取外したランプ保持部を或る一つの回動位置へ回動させて保持した状態を示す側面図である。
【図６】ランプ保持部を他の回動位置へ回動させて保持した状態を示す側面図である。
【図７】ランプ保持部を他の回動位置へ回動させて保持した状態を示す側面図である。
【図８】本発明の第３の実施の形態の照明装置におけるランプ保持部を取付用開口から取外した状態を示す側面図である。
【図９】取付用開口から取外したランプ保持部を所定の角度に回動させて保持した状態を示す側面図である。
【符号の説明】
１：器具本体、２：ランプ保持部、３：照射用開口、４：取付用開口、５：ランプ、６：スライドガイド、７：ガイド溝、８ａ、８ｂ：スライド用突起、９：保持溝、１０：取っ手、１１：保持溝、１２：保持溝
【図１】
2004014167.tif 000003
【図２】
2004014167.tif 000004
【図３】
2004014167.tif 000005
【図４】
2004014167.tif 000006
【図５】
2004014167.tif 000007
【図６】
2004014167.tif 000008
【図７】
2004014167.tif 000009
【図８】
2004014167.tif 000010
【図９】
2004014167.tif 000011